(57)【要約】【課題】  揺れに対して、上構造体を下構造体に支持させる状態を維持することができるジャッキ装置、ジャッキ用治具ユニット、及び支持方法を提供する。【解決手段】  ジャッキ装置及びジャッキ用治具ユニットは、上構造体とジャッキとの間に配置される上側治具と、ジャッキと下構造体との間に配置される下側治具と、を備え、上側治具の下面部と下側治具の上面部とは、下構造体が上構造体に対して横方向に変位した際にジャッキが揺動可能となるように、それぞれ曲面部を備える。また、支持方法は、上構造体と下構造体との間に、少なくとも一つのジャッキ装置を配置することで、上構造体を下構造体に支持させる。【選択図】  図２
2018188918.tif 000002
【特許請求の範囲】
【請求項１】
上下方向に離れる上構造体と下構造体との間に配置されるジャッキと、
前記上構造体と前記ジャッキとの間に配置される上側治具と、
前記ジャッキと前記下構造体との間に配置される下側治具と、を備え、
前記上側治具の下面部と前記下側治具の上面部とは、前記下構造体が前記上構造体に対して横方向に変位した際に前記ジャッキが揺動可能となるように、それぞれ曲面部を備える、ジャッキ装置。
【請求項２】
前記ジャッキの上面部及び下面部は、それぞれ平面状に形成され、
前記曲面部は、それぞれ凸状の曲面に形成される、請求項１に記載のジャッキ装置。
【請求項３】
前記上側治具の下面部は、中央部に、前記ジャッキの上面部よりも小さい平面部を備え、
前記下側治具の上面部は、中央部に、前記ジャッキの下面部よりも小さい平面部を備える、請求項２に記載のジャッキ装置。
【請求項４】
前記ジャッキの高さに対する前記上側治具の前記平面部の幅の比は、前記ジャッキの上面部と前記上側治具の前記平面部との間の静摩擦係数よりも、小さく、
前記ジャッキの高さに対する前記下側治具の前記平面部の幅の比は、前記ジャッキの下面部と前記下側治具の前記平面部との間の静摩擦係数よりも、小さい、請求項３に記載のジャッキ装置。
【請求項５】
前記上側治具の上面部は、前記ジャッキの上面部よりも大きく、
前記下側治具の下面部は、前記ジャッキの下面部よりも大きい、請求項１〜４の何れか１項に記載のジャッキ装置。
【請求項６】
上下方向に離れる上構造体と下構造体との間に配置されるジャッキに対して、前記上構造体と前記ジャッキとの間に配置される上側治具と、前記ジャッキと前記下構造体との間に配置される下側治具と、を備え、
前記上側治具の下面部と前記下側治具の上面部とは、前記下構造体が前記上構造体に対して横方向に変位した際に前記ジャッキが揺動可能となるように、それぞれ曲面部を備える、ジャッキ用治具ユニット。
【請求項７】
上下方向に離れる上構造体と下構造体との間に、請求項１〜５の何れか１項に記載の少なくとも一つのジャッキ装置を配置することで、上構造体を下構造体に支持させる支持方法。
【発明の詳細な説明】
【技術分野】
【０００１】
本発明は、上下方向に離れる上構造体と下構造体との間に配置されるジャッキ装置に関する。また、本発明は、上構造体とジャッキとの間に配置される上側治具と、ジャッキと下構造体との間に配置される下側治具とを備えるジャッキ用治具ユニットに関する。また、本発明は、上構造体を下構造体に支持させる支持方法に関する。
【背景技術】
【０００２】
従来、ジャッキ装置として、例えば、上下方向に離れる上構造体と下構造体との間に配置される免震装置を交換する際に、上構造体と下構造体との間に配置されるジャッキ装置が、知られている（例えば、特許文献１）。斯かるジャッキ装置は、ジャッキと、上構造体とジャッキとの間に配置される上側治具と、ジャッキと下構造体との間に配置される下側治具とを備えている。
【０００３】
特許文献１に係るジャッキ装置においては、地震が検出された際に、ジャッキが下降することで、上構造体を下構造体に支持させる状態が解除される。ところで、例えば、ある程度の揺れ（小さい地震）に対して、ジャッキで上構造体を下構造体に支持させる状態を維持させたいという要望がある。しかしながら、特許文献１に係るジャッキ装置においては、揺れに対して、ジャッキが各治具に対して滑ったり、下側治具が下構造体に対して滑ったりすることで、上構造体を下構造体に支持させる状態を維持できない場合がある。
【先行技術文献】
【特許文献】
【０００４】
【特許文献１】特開２０１７−８５４８号公報
【発明の概要】
【発明が解決しようとする課題】
【０００５】
そこで、課題は、揺れに対して、上構造体を下構造体に支持させる状態を維持することができるジャッキ装置、ジャッキ用治具ユニット、及び支持方法を提供することである。
【課題を解決するための手段】
【０００６】
ジャッキ装置は、上下方向に離れる上構造体と下構造体との間に配置されるジャッキと、前記上構造体と前記ジャッキとの間に配置される上側治具と、前記ジャッキと前記下構造体との間に配置される下側治具と、を備え、前記上側治具の下面部と前記下側治具の上面部とは、前記下構造体が前記上構造体に対して横方向に変位した際に前記ジャッキが揺動可能となるように、それぞれ曲面部を備える。
【０００７】
また、ジャッキ装置においては、前記ジャッキの上面部及び下面部は、それぞれ平面状に形成され、前記曲面部は、それぞれ凸状の曲面に形成される、という構成でもよい。
【０００８】
また、ジャッキ装置においては、前記上側治具の下面部は、中央部に、前記ジャッキの上面部よりも小さい平面部を備え、前記下側治具の上面部は、中央部に、前記ジャッキの下面部よりも小さい平面部を備える、という構成でもよい。
【０００９】
また、ジャッキ装置においては、前記ジャッキの高さに対する前記上側治具の前記平面部の幅の比は、前記ジャッキの上面部と前記上側治具の前記平面部との間の静摩擦係数よりも、小さく、前記ジャッキの高さに対する前記下側治具の前記平面部の幅の比は、前記ジャッキの下面部と前記下側治具の前記平面部との間の静摩擦係数よりも、小さい、という構成でもよい。
【００１０】
また、ジャッキ装置においては、前記上側治具の上面部は、前記ジャッキの上面部よりも大きく、前記下側治具の下面部は、前記ジャッキの下面部よりも大きい、という構成でもよい。
【００１１】
また、ジャッキ用治具ユニットは、上下方向に離れる上構造体と下構造体との間に配置されるジャッキに対して、前記上構造体と前記ジャッキとの間に配置される上側治具と、前記ジャッキと前記下構造体との間に配置される下側治具と、を備え、前記上側治具の下面部と前記下側治具の上面部とは、前記下構造体が前記上構造体に対して横方向に変位した際に前記ジャッキが揺動可能となるように、それぞれ曲面部を備える。
【００１２】
また、支持方法は、上下方向に離れる上構造体と下構造体との間に、前記の少なくとも一つのジャッキ装置を配置することで、上構造体を下構造体に支持させる。
【発明の効果】
【００１３】
以上の如く、ジャッキ装置、ジャッキ用治具ユニット、及び支持方法は、揺れに対して、上構造体を下構造体に支持させる状態を維持することができる、という優れた効果を奏する。
【図面の簡単な説明】
【００１４】
【図１】図１は、一実施形態に係るジャッキ装置の全体正面図である。
【図２】図２は、図１のII領域拡大図である。
【図３】図３は、同実施形態に係るジャッキ装置の全体分解正面図である。
【図４】図４は、同実施形態に係るジャッキ装置の動作を説明する全体正面図であって、小さい揺れが発生した状態を示す図である。
【図５】図５は、同実施形態に係るジャッキ装置の動作を説明する全体正面図であって、大きい揺れが発生した状態を示す図である。
【図６】図６は、他の実施形態に係るジャッキ装置の全体正面図である。
【図７】図７は、さらに他の実施形態に係るジャッキ装置の全体正面図である。
【図８】図８は、さらに他の実施形態に係るジャッキ装置の全体正面図であって、一部断面を示す図である。
【図９】図９は、さらに他の実施形態に係るジャッキ装置の全体正面図であって、一部断面を示す図である。
【図１０】図１０は、さらに他の実施形態に係るジャッキ装置の全体正面図である。
【図１１】図１１は、さらに他の実施形態に係るジャッキ装置の全体正面図である。
【発明を実施するための形態】
【００１５】
以下、ジャッキ装置、ジャッキ用治具ユニット、及び支持方法における一実施形態について、図１〜図５を参照しながら説明する。なお、各図（図６〜図１１も同様）において、図面の寸法比と実際の寸法比とは、必ずしも一致しておらず、また、各図面の間での寸法比も、必ずしも一致していない。
【００１６】
ここで、ジャッキ装置の各構成を説明するのに先立って、建物について説明する。図１に示すように、建物１０は、上下方向で離間する上構造体１１及び下構造体１２と、上構造体１１と下構造体１２との間に配置される免震装置１３とを備えている。なお、免震装置１３は、例えば、交換されるために、上構造体１１及び下構造体１２との固定を解除されている。
【００１７】
上構造体１１は、免震装置１３に接する上躯体１１ａと、上躯体１１ａの上部を支持する構造本体１１ｂとを備えている。そして、上躯体１１ａにおける上下方向の耐荷重は、構造本体１１ｂにおける上下方向の耐荷重よりも、大きくなっている。本実施形態においては、上躯体１１ａは、柱であり、構造本体１１ｂは、長尺に延びる梁である。なお、上構造体１１は、斯かる構成に限られない。
【００１８】
下構造体１２は、免震装置１３に接する下躯体１２ａと、下躯体１２ａの下部を支持する構造本体１２ｂとを備えている。そして、下躯体１２ａにおける上下方向の耐荷重は、構造本体１２ｂにおける上下方向の耐荷重よりも、大きくなっている。本実施形態においては、下躯体１２ａは、基礎柱であり、構造本体１２ｂは、平面状に広がる基礎である。なお、下構造体１２は、斯かる構成に限られない。
【００１９】
ジャッキ装置１は、上構造体１１と下構造体１２との間に配置されることで、上構造体１１を下構造体１２に支持させている。具体的には、ジャッキ装置１は、上下方向の耐荷重が大きい上躯体１１ａと下躯体１２ａとの間に配置されている。そして、ジャッキ装置１は、免震装置１３の周りに複数（例えば、二つ〜六つであって、図１においては、二つ図示している）並列されている。
【００２０】
ジャッキ装置１は、上躯体１１ａと下躯体１２ａとの間に配置されるジャッキ２と、ジャッキ２と各躯体１１ａ，１２ａとの間に配置されるジャッキ用治具ユニット３とを備えている。そして、ジャッキ用治具ユニット３は、上躯体１１ａとジャッキ２との間に配置される上側治具４と、ジャッキ２と下躯体１２ａとの間に配置される下側治具５とを備えている。
【００２１】
図２及び図３に示すように、ジャッキ２は、ジャッキ本体２ａと、ジャッキ本体２ａに対して上下方向に移動可能な可動体２ｂとを備えている。そして、ジャッキ本体２ａの内部に圧力媒体が流入されることで、可動体２ｂがジャッキ本体２ａに対して上昇（ジャッキアップ）し、反対に、ジャッキ本体２ａの内部から圧力媒体が流出されることで、可動体２ｂがジャッキ本体２ａに対して下降（ジャッキダウン）する。
【００２２】
本実施形態においては、ジャッキ２は、圧力媒体を油とした油圧ジャッキとしている。なお、ジャッキ２は、圧力媒体を他の液体又は気体としたジャッキとしてもよい。なお、ジャッキ本体２ａ及び可動体２ｂは、例えば、鉄、ステンレス等の高い剛性を有する金属で形成されている。
【００２３】
ジャッキ２の上面部２ｃ（即ち、可動体２ｂの上面部２ｃ）は、平面状に形成されており、ジャッキ２の下面部２ｄ（即ち、ジャッキ本体２ａの下面部２ｄ）は、平面状に形成されている。また、ジャッキ２の上面部２ｃは、円形状に形成されており、ジャッキ２の下面部２ｄは、円形状に形成されている。
【００２４】
上側治具４は、上構造体１１の上躯体１１ａと接触する上面部４ａと、ジャッキ２の上面部２ｃと接触する下面部４ｂとを備えている。そして、上側治具４は、例えば、鉄、ステンレス、ジュラルミン等の高い剛性を有する金属で形成されている。
【００２５】
上側治具４の上面部４ａは、平面状に形成されている。また、上側治具４の上面部４ａは、円形状に形成されている。そして、上側治具４の上面部４ａは、ジャッキ２の上面部２ｃよりも、大きくなっている。具体的には、上側治具４の上面部４ａの面積は、ジャッキ２の上面部２ｃの面積よりも、大きくなっている。即ち、上側治具４の上面部４ａの幅（径）Ｗ４ａは、ジャッキ２の上面部２ｃの幅（径）Ｗ２ｃよりも、大きくなっている。
【００２６】
上側治具４の下面部４ｂは、平面状に形成される平面部４ｃと、曲面状に形成される曲面部４ｄとを備えている。そして、平面部４ｃは、上側治具４の下面部４ｂにおける、中央部に配置され、曲面部４ｄは、上側治具４の下面部４ｂにおける、外周部に配置されている。
【００２７】
上側治具４の平面部４ｃは、円形状に形成されている。そして、上側治具４の平面部４ｃは、ジャッキ２の上面部２ｃよりも、小さくなっている。具体的には、上側治具４の平面部４ｃの面積は、ジャッキ２の上面部２ｃの面積よりも、小さくなっている。即ち、上側治具４の平面部４ｃの幅（径）Ｗ４ｃは、ジャッキ２の上面部２ｃの幅（径）Ｗ２ｃよりも、小さくなっている。
【００２８】
上側治具４の曲面部４ｄは、凸状の曲面に形成されている。そして、上側治具４の曲面部４ｄは、球面体の一部からなるように、形成されている。また、上側治具４の曲面部４ｄにおいては、横方向視における、横方向の寸法Ｗ４ｄ１は、上下方向の寸法Ｗ４ｄ２よりも、大きくなっている。
【００２９】
なお、ジャッキ２の高さＷ２に対する上側治具４の平面部４ｃの幅Ｗ４ｃの比Ｒ１は、ジャッキ２の上面部２ｃと上側治具４の平面部４ｃとの間の静摩擦係数μ１よりも、小さくなっている。そして、ジャッキ２の高さＷ２が変化するため、本実施形態においては、可動体２ｂが最も下降した際（即ち、ジャッキ２がジャッキダウンされた際）における、当該比Ｒ１が、当該静摩擦係数μ１よりも、小さくなっている。
【００３０】
例えば、当該静摩擦係数μ１が０．３〜０．８であるため、可動体２ｂが最も下降した際における、当該比Ｒ１は、０．２５以下、好ましくは、０．２以下、さらに好ましくは、０．１５以下、非常に好ましくは、０．１以下である。また、可動体２ｂが最も下降した際における、当該比Ｒ１は、例えば、０．０５以上であることが好ましい。
【００３１】
これにより、ジャッキ２の高さＷ２に関わらず、常に、当該比Ｒ１が、当該静摩擦係数μ１よりも、小さくなる。したがって、ジャッキ２がジャッキアップされて、ジャッキ装置１が上構造体１１を下構造体１２に支持させる状態においては、必ず、当該比Ｒ１が、当該静摩擦係数μ１よりも、小さくなる。
【００３２】
下側治具５は、ジャッキ２の下面部２ｄと接触する上面部５ａと、下構造体１２の下躯体１２ａと接触する下面部５ｂとを備えている。そして、下側治具５は、例えば、鉄、ステンレス、ジュラルミン等の高い剛性を有する金属で形成されている。
【００３３】
下側治具５の上面部５ａは、平面状に形成される平面部５ｃと、曲面状に形成される曲面部５ｄとを備えている。そして、平面部５ｃは、下側治具５の上面部５ａにおける、中央部に配置され、曲面部５ｄは、下側治具５の上面部５ａにおける、外周部に配置されている。
【００３４】
下側治具５の平面部５ｃは、円形状に形成されている。そして、下側治具５の平面部５ｃは、ジャッキ２の下面部２ｄよりも、小さくなっている。具体的には、下側治具５の平面部５ｃの面積は、ジャッキ２の下面部２ｄの面積よりも、小さくなっている。即ち、下側治具５の平面部５ｃの幅（径）Ｗ５ｃは、ジャッキ２の下面部２ｄの幅（径）Ｗ２ｄよりも、小さくなっている。
【００３５】
下側治具５の曲面部５ｄは、凸状の曲面に形成されている。そして、下側治具５の曲面部５ｄは、球面体の一部からなるように、形成されている。また、下側治具５の曲面部５ｄにおいては、横方向視における、横方向の寸法Ｗ５ｄ１は、上下方向の寸法Ｗ５ｄ２よりも、大きくなっている。
【００３６】
下側治具５の下面部５ｂは、平面状に形成されている。また、下側治具５の下面部５ｂは、円形状に形成されている。そして、下側治具５の下面部５ｂは、ジャッキ２の下面部２ｄよりも、大きくなっている。具体的には、下側治具５の下面部５ｂの面積は、ジャッキ２の下面部２ｄの面積よりも、大きくなっている。即ち、下側治具５の下面部５ｂの幅（径）Ｗ５ｂは、ジャッキ２の下面部２ｄの幅（径）Ｗ２ｄよりも、大きくなっている。
【００３７】
なお、ジャッキ２の高さＷ２に対する下側治具５の平面部５ｃの幅Ｗ５ｃの比Ｒ２は、ジャッキ２の下面部２ｄと下側治具５の平面部５ｃとの間の静摩擦係数μ２よりも、小さくなっている。そして、ジャッキ２の高さＷ２が変化するため、本実施形態においては、可動体２ｂが最も下降した際における、当該比Ｒ２が、当該静摩擦係数μ２よりも、小さくなっている。
【００３８】
例えば、当該静摩擦係数μ２が０．３〜０．８であるため、可動体２ｂが最も下降した際における、当該比Ｒ２は、０．２５以下、好ましくは、０．２以下、さらに好ましくは、０．１５以下、非常に好ましくは、０．１以下である。また、可動体２ｂが最も下降した際における、当該比Ｒ２は、例えば、０．０５以上であることが好ましい。
【００３９】
本実施形態に係るジャッキ装置１の構成については以上の通りであり、次に、本実施形態に係るジャッキ装置１による支持方法について、図４及び図５を参照しつつ説明する。
【００４０】
まず、下構造体１２がジャッキ装置１により上構造体１１を支持している際に、ジャッキ２に上下方向の所定の大きさの荷重Ｆ１がかかっているとする。このとき、ジャッキ２に横方向の力Ｆ２，Ｆ３がかかると、ジャッキ２が各治具４，５の間で揺動（本明細書においては、「滑り」を含まない概念である）する可能性と、ジャッキ２が各治具４，５に対して滑る可能性とが存在する。
【００４１】
例えば、ジャッキ２が各治具４，５の間で揺動するためには、ジャッキ２に対して、横方向に所定の大きさの力Ｆ２が必要となる。なお、当該力（以下、「揺動開始力」ともいう）Ｆ２の大きさは、以下の式で表される。
Ｆ２＝Ｆ１×Ｒ１（またはＲ２）      …式（１）
なお、Ｒ１は、ジャッキ２の高さＷ２に対する上側治具４の平面部４ｃの幅Ｗ４ｃの比であり、Ｒ２は、ジャッキ２の高さＷ２に対する下側治具５の平面部５ｃの幅Ｗ５ｃの比である。
【００４２】
一方、ジャッキ２が各治具４，５に対して滑るためには、ジャッキ２に対して、横方向に所定の大きさの力Ｆ３が必要となる。なお、当該力（以下、「滑り開始力」ともいう）Ｆ３の大きさは、以下の式で表される。
Ｆ３＝Ｆ１×μ１（またはμ２）      …式（２）
なお、μ１は、ジャッキ２の上面部２ｃと上側治具４の平面部４ｃとの間の静摩擦係数であり、μ２は、ジャッキ２の下面部２ｄと下側治具５の平面部５ｃとの間の静摩擦係数である。
【００４３】
したがって、図４に示すように、揺れ（地震）のない通常時や、揺れにより、揺動開始力Ｆ２や滑り開始力Ｆ３よりも小さい横方向の力Ｆ４がジャッキ２に働いた時には、ジャッキ２が各治具４，５の間で揺動せず、また、ジャッキ２が各治具４，５に対して滑らない。これにより、ジャッキ２の上面部２ｃ及び下面部２ｄが各治具４，５の平面部４ｃ，５ｃとそれぞれ接触することで、上構造体１１を下構造体１２に支持させる状態を維持することができる。
【００４４】
ところで、本実施形態においては、当該比Ｒ１，Ｒ２が、当該静摩擦係数μ１，μ２よりも小さくなっているため、揺動開始力Ｆ２が滑り開始力Ｆ３よりも小さくなる。したがって、図５に示すように、揺動開始力Ｆ２よりも大きい横方向の力Ｆ５がジャッキ２に働いた時には、ジャッキ２の上面部２ｃ及び下面部２ｄが各治具４，５の曲面部４ｄ，５ｄとそれぞれ接触することで、ジャッキ２が揺動する。
【００４５】
これにより、下構造体１２が上構造体１１に対して横方向に変位しつつ、上構造体１１を下構造体１２に支持させる状態を維持することができる。このとき、ジャッキ２が揺動した際に、ジャッキ２の高さＷ２が一定（完全に同じ場合だけでなく、略同じ場合も含む）となるように、ジャッキ２を制御している。
【００４６】
そして、各治具４，５の曲面部４ｄ，５ｄの曲率半径が所定の値となっているため、上構造体１１と下構造体１２との距離Ｗ１０を一定（完全に同じ場合だけでなく、略同じ場合も含む）にすることができる。例えば、各治具４，５の曲面部４ｄ，５ｄの曲率半径が、ジャッキ２の高さＷ２の５０％である場合に、上構造体１１と下構造体１２との距離Ｗ１０を一定にすることができる。したがって、各治具４，５の曲面部４ｄ，５ｄの曲率半径は、例えば、ジャッキ２の高さＷ２の４０〜６０％であり、好ましくは、４５〜５５％である。
【００４７】
このように、ジャッキ２が揺動することで、ジャッキ２が各治具４，５に対して滑ることを抑制しているため、上躯体１１ａと下躯体１２ａとの間の狭い領域にジャッキ装置１を配置しても、上構造体１１を下構造体１２に支持させる状態を維持することができる。したがって、例えば、鉄筋コンクリート等による補強工事（例えば、後述する図１０及び図１１参照）をする必要がなく、施工（例えば、免震装置１３の交換工事）を容易にすることができる。
【００４８】
なお、各治具４，５が各構造体１１，１２に対して滑ることを抑制するために、各治具４，５は、固定手段により、各構造体１１，１２に対してそれぞれ固定されている、という構成でもよい。また、ジャッキ２が揺動することで、各治具４，５が各構造体１１，１２に対して滑ることを抑制するために、各治具４，５と各構造体１１，１２との間の静摩擦係数が、所定の値に設定されている、という構成でもよい。
【００４９】
具体的には、上側治具４の上面部４ａと上構造体１１との間の静摩擦係数μ３は、ジャッキ２の高さＷ２に対する上側治具４の平面部４ｃの幅Ｗ４ｃの比Ｒ１よりも、大きい。そして、下側治具５の下面部５ｂと下構造体１２との間の静摩擦係数μ４は、ジャッキ２の高さＷ２に対する下側治具５の平面部５ｃの幅Ｗ５ｃの比Ｒ２よりも、大きい。本実施形態においては、各構造体１１，１２が鉄筋コンクリートで形成されているため、当該静摩擦係数μ３，μ４は、０．３〜０．８である。
【００５０】
以上より、本実施形態に係る支持方法は、上下方向に離れる上構造体１１と下構造体１２との間に、前記の少なくとも一つのジャッキ装置１を配置することで、上構造体１１を下構造体１２に支持させる。
【００５１】
また、本実施形態に係るジャッキ用治具ユニット３は、上下方向に離れる上構造体１１と下構造体１２との間に配置されるジャッキ２に対して、前記上構造体１１と前記ジャッキ２との間に配置される上側治具４と、前記ジャッキ２と前記下構造体１２との間に配置される下側治具５と、を備え、前記上側治具４の下面部４ｂと前記下側治具５の上面部５ａとは、前記下構造体１２が前記上構造体１１に対して横方向に変位した際に前記ジャッキ２が揺動可能となるように、それぞれ曲面部４ｄ，５ｄを備える。
【００５２】
また、本実施形態に係るジャッキ装置１は、上下方向に離れる上構造体１１と下構造体１２との間に配置されるジャッキ２と、前記上構造体１１と前記ジャッキ２との間に配置される上側治具４と、前記ジャッキ２と前記下構造体１２との間に配置される下側治具５と、を備え、前記上側治具４の下面部４ｂと前記下側治具５の上面部５ａとは、前記下構造体１２が前記上構造体１１に対して横方向に変位した際に前記ジャッキ２が揺動可能となるように、それぞれ曲面部４ｄ，５ｄを備える。
【００５３】
斯かる構成によれば、上側治具４の下面部４ｂと下側治具５の上面部５ａとは、それぞれ曲面部４ｄ，５ｄを備えている。そして、下構造体１２が上構造体１１に対して横方向に変位した際に、ジャッキ２の上面部２ｃが上側治具４の曲面部４ｄに接触し、且つ、ジャッキ２の下面部２ｄが下側治具５の曲面部５ｄに接触するようにして、ジャッキ２が揺動する。これにより、揺れに対して、上構造体１１を下構造体１２に支持させる状態を維持することができる。
【００５４】
また、本実施形態に係るジャッキ装置１においては、前記ジャッキ２の上面部２ｃ及び下面部２ｄは、それぞれ平面状に形成され、前記曲面部４ｄ，５ｄは、それぞれ凸状の曲面に形成される、という構成である。
【００５５】
斯かる構成によれば、平面状に形成されるジャッキ２の上面部２ｃが、凸状の曲面に形成される上側治具４の曲面部４ｄに接触し、且つ、平面状に形成されるジャッキ２の下面部２ｄが、凸状に形成される下側治具５の曲面部５ｄに接触するようにして、ジャッキ２が揺動する。これにより、揺れに対して、上構造体１１を下構造体１２に支持させる状態を維持しつつ、上構造体１１と下構造体１２との間の距離が変化することを抑制することができる。
【００５６】
また、本実施形態に係るジャッキ装置１においては、前記上側治具４の下面部４ｂは、中央部に、前記ジャッキ２の上面部２ｃよりも小さい平面部４ｃを備え、前記下側治具５の上面部５ａは、中央部に、前記ジャッキ２の下面部２ｄよりも小さい平面部４ｃを備える、という構成である。
【００５７】
斯かる構成によれば、通常時には、ジャッキ２の上面部２ｃの中央部が、上側治具４の下面部４ｂの中央部に配置される平面部４ｃに接触し、且つ、ジャッキ２の下面部２ｄの中央部が、下側治具５の上面部５ａの中央部に配置される平面部５ｃに接触している。これにより、通常時には、上構造体１１を下構造体１２に安定して支持させることができる。
【００５８】
そして、例えば、小さい揺れに対しては、通常時と同様に、ジャッキ２の上面部２ｃ及び下面部２ｄの中央部が各治具４，５の平面部４ｃ，５ｃとそれぞれ接触することで、上構造体１１を下構造体１２に支持させることができる。これにより、所定の大きさより小さい揺れに対して、ジャッキ２を揺動させることなく、上構造体１１を下構造体１２に支持させる状態を維持することができる。
【００５９】
また、例えば、大きい揺れに対しては、ジャッキ２の上面部２ｃ及び下面部２ｄの外側部が各治具４，５の曲面部４ｄ，５ｄとそれぞれ接触することで、ジャッキ２が揺動する。これにより、所定の大きさより大きい揺れに対して、ジャッキ２を揺動させることで、上構造体１１を下構造体１２に支持させる状態を維持することができる。
【００６０】
また、本実施形態に係るジャッキ装置１においては、前記ジャッキ２の高さＷ２に対する前記上側治具４の前記平面部４ｃの幅Ｗ４ｃの比Ｒ１は、前記ジャッキ２の上面部２ｃと前記上側治具４の前記平面部４ｃとの間の静摩擦係数μ１よりも、小さく、前記ジャッキ２の高さＷ２に対する前記下側治具５の前記平面部５ｃの幅Ｗ５ｃの比Ｒ２は、前記ジャッキ２の下面部２ｄと前記下側治具５の前記平面部５ｃとの間の静摩擦係数μ２よりも、小さい、という構成である。
【００６１】
斯かる構成によれば、ジャッキ２の高さＷ２に対する上側治具４の平面部４ｃの幅Ｗ４ｃの比Ｒ１が、ジャッキ２の上面部２ｃと上側治具４の平面部４ｃとの間の静摩擦係数μ１よりも、小さい。これにより、ジャッキ２の上面部２ｃが上側治具４の平面部４ｃに対して滑る前に、ジャッキ２が揺動する。
【００６２】
また、ジャッキ２の高さＷ２に対する下側治具５の平面部５ｃの幅Ｗ５ｃの比Ｒ２が、ジャッキ２の下面部２ｄと下側治具５の平面部５ｃとの間の静摩擦係数μ２よりも、小さい。これにより、ジャッキ２の下面部２ｄが下側治具５の平面部５ｃに対して滑る前に、ジャッキ２が揺動する。したがって、ジャッキ２は、各治具４，５に対して滑ることなく、安定して揺動する。
【００６３】
また、本実施形態に係るジャッキ装置１においては、前記上側治具４の上面部４ａは、前記ジャッキ２の上面部２ｃよりも大きく、前記下側治具５の下面部５ｂは、前記ジャッキ２の下面部２ｄよりも大きい、という構成である。
【００６４】
斯かる構成によれば、上側治具４の上面部４ａがジャッキ２の上面部２ｃよりも大きいため、上構造体１１に接触する面積が大きくなる。また、下側治具５の下面部５ｂがジャッキ２の下面部２ｄよりも大きいため、下構造体１２に接触する面積が大きくなる。これにより、上構造体１１を下構造体１２に支持させる際に、上構造体１１及び下構造体１２に与える圧力（単位面積当たりの荷重）を小さくすることができる。したがって、例えば、上構造体１１及び下構造体１２が損傷することを抑制することができる。
【００６５】
なお、ジャッキ装置１、ジャッキ用治具ユニット３、及び支持方法は、上記した実施形態の構成に限定されるものではなく、また、上記した作用効果に限定されるものではない。また、ジャッキ装置１、ジャッキ用治具ユニット３、及び支持方法は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００６６】
（１）上記実施形態に係るジャッキ装置１及びジャッキ用治具ユニット３においては、上側治具４の下面部４ｂは、平面部４ｃを備え、下側治具５の上面部５ａは、平面部５ｃを備える、という構成である。しかしながら、ジャッキ装置１及びジャッキ用治具ユニット３は、斯かる構成に限られない。例えば、図６に示すように、上側治具４の下面部４ｂは、平面部４ｃを備えることなく、曲面部４ｄのみから成り、下側治具５の上面部５ａは、平面部５ｃを備えることなく、曲面部５ｄのみから成る、という構成でもよい。
【００６７】
（２）また、上記実施形態に係るジャッキ装置１及びジャッキ用治具ユニット３においては、ジャッキ２の上面部２ｃ及び下面部２ｄは、それぞれ平面状に形成され、各治具４，５の曲面部４ｄ，５ｄは、それぞれ凸状の曲面に形成される、という構成である。しかしながら、ジャッキ装置１及びジャッキ用治具ユニット３は、斯かる構成に限られない。
【００６８】
例えば、図７〜図９に示すように、ジャッキ２の上面部２ｃ及び下面部２ｄは、それぞれ曲面状に形成される、という構成でもよい。また、例えば、図８及び図９に示すように、各治具４，５の曲面部４ｄ，５ｄは、それぞれ凹状の曲面に形成される、という構成でもよい。
【００６９】
図７に係るジャッキ装置１及びジャッキ用治具ユニット３おいては、ジャッキ２の上面部２ｃ及び下面部２ｄは、凸状の曲面状に形成されている。そして、各治具４，５の曲面部４ｄ，５ｄは、凸状の曲面に形成されている。
【００７０】
図８に係るジャッキ装置１及びジャッキ用治具ユニット３おいては、ジャッキ２の上面部２ｃ及び下面部２ｄは、凸状の曲面状に形成されている。そして、各治具４，５の曲面部４ｄ，５ｄは、凹状の曲面に形成されている。
【００７１】
図９に係るジャッキ装置１及びジャッキ用治具ユニット３おいては、ジャッキ２の上面部２ｃ及び下面部２ｄは、凹状の曲面状に形成されている。そして、各治具４，５の曲面部４ｄ，５ｄは、凸状の曲面に形成されている。
【００７２】
（３）また、上記実施形態に係るジャッキ装置１及びジャッキ用治具ユニット３においては、上側治具４の上面部４ａは、ジャッキ２の上面部２ｃよりも大きく、下側治具５の下面部５ｂは、ジャッキ２の下面部２ｄよりも大きい、という構成である。しかしながら、ジャッキ装置１及びジャッキ用治具ユニット３は、斯かる構成に限られない。
【００７３】
例えば、上側治具４の上面部４ａは、ジャッキ２の上面部２ｃよりも小さい、という構成でもよい。また、例えば、下側治具５の下面部５ｂは、ジャッキ２の下面部２ｄよりも小さい、という構成でもよい。
【００７４】
（４）また、上記実施形態に係る支持方法においては、ジャッキ装置１は、上躯体１１ａと下躯体１２ａとの間に配置される、という構成である。しかしながら、ジャッキ装置１及びジャッキ用治具ユニット３は、斯かる構成に限られない。例えば、図１０及び図１１に示すように、ジャッキ装置１の少なくとも一部は、各構造体１１，１２の補強体１１ｃ，１２ｃの間に配置される、という構成でもよい。
【００７５】
図１０に係る補強体１１ｃ，１２ｃは、上躯体１１ａの下面や下躯体１２ａの上面を拡張するための補強工事により、形成される。そして、図１０に係る支持方法おいては、ジャッキ装置１は、上構造体１１の上躯体１１ａ及び上補強体１１ｃと、下構造体１２の下躯体１２ａ及び下補強体１２ｃとの間に配置されている。
【００７６】
図１１に係る補強体１１ｃ，１２ｃは、各構造本体１１ｂ，１２ｂを補強しつつ、上躯体１１ａや下躯体１２ａとは別にジャッキ装置１の設置場所を設けるための補強工事により、形成される。そして、図１１に係る支持方法おいては、ジャッキ装置１は、上構造体１１の上補強体１１ｃと下構造体１２の下補強体１２ｃとの間に配置されている。
【００７７】
（５）また、支持方法においては、非常に大きな揺れの地震が発生した際には、ジャッキ２をジャッキダウンさせ、ジャッキ装置１で上構造体１１を下構造体１２に支持させる状態を解除してもよい。このとき、上構造体１１と下構造体１２との間に、免震装置１３が配置されている場合には、免震装置１３により、上構造体１１を下構造体１２に支持させる。
【符号の説明】
【００７８】
１…ジャッキ装置、２…ジャッキ、２ａ…ジャッキ本体、２ｂ…可動体、２ｃ…上面部、２ｄ…下面部、３…ジャッキ用治具ユニット、４…上側治具、４ａ…上面部、４ｂ…下面部、４ｃ…平面部、４ｄ…曲面部、５…下側治具、５ａ…上面部、５ｂ…下面部、５ｃ…平面部、５ｄ…曲面部、１０…建物、１１…上構造体、１１ａ…上躯体、１１ｂ…構造本体、１１ｃ…上補強体、１２…下構造体、１２ａ…下躯体、１２ｂ…構造本体、１２ｃ…下補強体、１３…免震装置
【図１】
2018188918.tif 000003
【図２】
2018188918.tif 000004
【図３】
2018188918.tif 000005
【図４】
2018188918.tif 000006
【図５】
2018188918.tif 000007
【図６】
2018188918.tif 000008
【図７】
2018188918.tif 000009
【図８】
2018188918.tif 000010
【図９】
2018188918.tif 000011
【図１０】
2018188918.tif 000012
【図１１】
2018188918.tif 000013